(57)【特許請求の範囲】
【請求項１】
合成樹脂製のベースと、該ベース上に固着された複数枚のタイルとを備えてなる床タイルユニットであって、
該ベースの下側への風の流入防止用の遮蔽部材が床タイルユニットの側面に装着された床タイルユニットにおいて、
該遮蔽部材は、前記タイル同士の間の目地部に差し込まれて該ベースに係止される差込片と、該床タイルユニットの側面に沿って延在するプレートとを備えてなることを特徴とする床タイルユニット。
【請求項２】
請求項１において、前記差込片には、前記ベースに係止されたフック部が設けられていることを特徴とする床タイルユニット。
【発明の詳細な説明】
【０００１】
【発明の属する技術分野】
本発明は、屋上やバルコニー等に敷設するのに好適な床タイルユニットに係り、詳しくは合成樹脂製のベースと、該ベース上に固着された複数枚のタイルとを備えてなる床タイルユニットに関する。さらに詳しくは、このベースの下側への風の流入を防止するための遮蔽部材を備えた床タイルユニットに関する。
【０００２】
【従来の技術】
屋上、バルコニー、ベランダ、テラス、土間、コンクリート引きの廊下などを手軽にタイル敷設面とすることができる床タイルユニットが近年普及しつつある。この床タイルユニットは、通常、方形の合成樹脂製のベースと、このベースの上面に接着剤で固着されたタイルとを備えてなる。
【０００３】
ベースは、軽量化及び柔軟な屈曲性（下地の不陸への追随性）等のために、厚み方向に貫通する多数の貫通部を有する。このベースは、タイル１枚分の大きさに形成された複数のタイル張付部と、該タイル張付部同士を橋わたし状につなぐタイ部とが合成樹脂により一体的に成形されたものである。このタイル張付部は、通常、方形であり、各タイル張付部は枡目状に整列配置されている。
【０００４】
このベースの隣接する１対の２辺には突片が設けられ、残りの２辺には、この突片が係合する受容部が設けられている。複数枚の床タイルユニットがバルコニー等に敷設される場合、隣り合う床タイルユニットが突片と受容部との結合により連結され、一体的なシート状の床タイルユニット連結体とされる。
【０００５】
バルコニー等に敷設された床タイルユニットの下側に強風が吹き込むと、床タイルユニットが捲れ上がることがある。この捲れ防止のために、床タイルユニットの側面に、風流入防止用の遮蔽部材を設けることがある。この遮蔽部材としては、床タイルユニットの側端面に当てがわれる縦片と、床タイルユニットの上端縁及び下端縁にそれぞれ被さる上片及び下片とを有したコ字形断面形状のものが公知である（特開平１０−１１５０７４号）。
【０００６】
【発明が解決しようとする課題】
このようなコ字形状の従来の遮蔽部材は、該上片が床タイルユニットの側縁の上面にも被さるものであるため、上方から見たときに該上片がかなり目立ち、見栄えが悪い。また、この床タイルユニットの上面に露出した該上片が足裏から離脱方向の力を受け易く、遮蔽部材が外れ易いという短所もある。
【０００７】
本発明は、このような短所を克服し、遮蔽部材が目立たず美感に優れると共に、遮蔽部材が離脱しにくい床タイルユニットを提供することを目的とする。
【０００８】
【課題を解決するための手段】
本発明の床タイルユニットは、合成樹脂製のベースと、該ベース上に固着された複数枚のタイルとを備えてなる床タイルユニットであって、該ベースの下側への風の流入防止用の遮蔽部材が床タイルユニットの側面に装着された床タイルユニットにおいて、該遮蔽部材は、前記タイル同士の間の目地部に差し込まれて該ベースに係止される差込片と、該床タイルユニットの側面に沿って延在するプレートとを備えてなることを特徴とするものである。
【０００９】
かかる床タイルユニットにあっては、遮蔽部材は、床タイルユニットの側面に沿うプレートと、目地部に差し込まれる差込片とからなるものであり、タイルの上縁に被さる部分が無いので、遮蔽部材が目立たず、見栄えが良い。また、足裏で押されて外れることも防止される。
【００１０】
この差込片にフック部を設け、このフック部をベースに係止させることにより、遮蔽部材が一層外れにくいものとなる。
【００１１】
【発明の実施の形態】
以下、図１〜４を参照して実施の形態について説明する。図１は実施の形態に係る床タイルユニットの斜視図、図２の（ａ）図は床タイルユニットの平面図、（ｂ）図は（ａ）図のＢ−Ｂ線矢視図、図３は床タイルユニットの裏面図、図４の（ａ）図は遮蔽部材の斜視図、（ｂ）図は図２のIV−IV線に沿う断面図である。
【００１２】
この床タイルユニットは、合成樹脂製のベース１０と、該ベース１０上に接着剤で接着されたタイル２０と、床タイルユニットの側面に設けられた遮蔽部材３０とを有する。
【００１３】
ベース１０は、この実施の形態では正方形状であり、縦横にタイル張付部１１が複数個（この実施の形態では縦、横ともに３個ずつ。合計９個）設けられている。各タイル張付部１１は枡目状に配置され、タイル張付部１１同士はタイ部１２によって連結されている。なお、タイル張付部１１は、直棒状あるいは環状の部分１３同士の間が厚み方向に貫通している。
【００１４】
このベース１０の隣接する２辺からは突片１４がそれぞれ複数個ずつ突設され、残りの２片にあっては、この突片１４が結合しうる形状の受容部１５が設けられている。
【００１５】
床タイルユニットを複数個並列設置した場合、床タイルユニットの突片１４が隣接する床タイルユニットの受容部１５に係着され、これにより床タイルユニット同士が連結され、一連のシート状物となる。
【００１６】
タイル２０は、各タイル張付部１１上に配列され、エポキシ等の接着剤でベース１０に固着されている。タイル２０は枡目状に配列され、タイル２０同士の間に所定の間隙よりなる目地部２１が形成されている。この目地部２１は、タイル張付部１１同士の間の位置に対応して配置されており、従って目地部２１の下方にはタイ部１２が存在する。
【００１７】
遮蔽部材３０は、床タイルユニットの側面に沿って延在するプレート３１と、このプレート３１から垂直方向に突設された差込片３２とが合成樹脂により一体に成形されたものである。この差込片３２の先端部には下方に鉤状のフック部３３が突設されている。
【００１８】
この実施の形態では２個の差込片３２がプレート３１から突設されている。プレート３１はベース１０の一辺の長さとほぼ同一長さとなっている。プレート３１の上端は、タイル２０の上面よりも所要距離だけ低位に位置している。プレート３１の上端は、タイル２０の下面よりも上位に位置している。プレート３１の下辺には、前記突片１４を通過させるための凹部３４が設けられている。
【００１９】
この遮蔽部材３０は、プレート３１が床タイルユニットの側面に当てがわれるように差込片３２を目地部２１に差し込み、フック部３３をタイ部１２に係止させることにより装着される。
【００２０】
この遮蔽部材３０を備えた床タイルユニットは、下側に風が吹き込むことが防止（著しく減少）され、床タイルユニット連結体の捲れ上がりが防止される。
【００２１】
また、遮蔽部材はタイル２０の上縁に被さらないので、殆ど目立たず、床タイルユニットの見栄えがよい。また、足裏が当って外れることもない。
【００２２】
上記実施の形態では床タイルユニットは正方形であるが、長方形など他の形状であってもよい。
【００２３】
【発明の効果】
以上の通り、本発明の床タイルユニットは、床タイルユニットの捲れ上がりを防止するための遮蔽部材が目立たず、見栄えがよい。また、遮蔽部材もきわめて外れにくい。
【図面の簡単な説明】
【図１】実施の形態に係る床タイルユニットの斜視図である。
【図２】（ａ）図は床タイルユニットの平面図、（ｂ）図は（ａ）図のＢ−Ｂ線矢視図である。
【図３】床タイルユニットの裏面図である。
【図４】（ａ）図は遮蔽部材の斜視図、（ｂ）図は図２のIV−IV線に沿う断面図である。
【符号の説明】
１０  ベース
１１  タイル張付部
１２  タイ部
１４  突片
１５  受容部
２０  タイル
２１  目地部
３０  遮蔽部材
３１  プレート
３２  差込片
３３  フック部
【図１】
0003818002.tif 000002
【図２】
0003818002.tif 000003
【図３】
0003818002.tif 000004
【図４】
0003818002.tif 000005